(57)【要約】【課題】  収納空間６に内部トレイ４を有する構成のコンソールボックス１において、収納空間６の底部への小物の出し入れを容易にする。【解決手段】  内部に収納空間６を有するとともに開口７を有するボックス本体２と、回動することで開口７を開閉可能なリッド３と、収納空間６の底部よりも上方に設置される内部トレイ４と、を備える。内部トレイ４はリッド３に回動可能に連結される構成とし、また、この内部トレイ４には凸部１６を備える。この凸部１６をスライド自在に載置させる案内面１５を前記ボックス本体２側の部材（収納箱５の内壁）に備え、この案内面１５には、リッド３を開き方向に回動したときに凸部１６をスライドさせつつ登らせる傾斜部１７が備えられる。更に、開き状態のリッド３に対して内部トレイ４を回動させることで凸部１６を案内面１５から離間できるように構成する。【選択図】  図３
2006327515.tif 000002
【特許請求の範囲】
【請求項１】
内部に収納空間を有するとともに開口を有するボックス本体と、回動することで前記開口を開閉可能な蓋と、前記収納空間の底部よりも上方に設置されるトレイと、を備える自動車用コンソールボックスであって、前記トレイが前記蓋の開閉と連動して、その姿勢をほぼ一定に保ったまま上下動することを特徴とする自動車用コンソールボックス。
【請求項２】
請求項１に記載の自動車用コンソールボックスであって、
前記トレイは前記蓋に回動可能に連結される構成とし、また、このトレイにはガイド体を備え、
このガイド体をスライド自在に載置させる案内面を前記ボックス本体側に備え、この案内面には、前記蓋を開き方向に回動したときに前記ガイド体をスライドさせつつ登らせる傾斜部が備えられ、
開き状態の前記蓋に対して前記トレイを回動させることで前記ガイド体を前記案内面から離間させることができるように構成したことを特徴とする、自動車用コンソールボックス。
【請求項３】
請求項２に記載の自動車用コンソールボックスであって、前記案内面の傾斜部は、前記蓋を開閉させるときに前記トレイの当該蓋への連結箇所が描く軌跡とほぼ同じ径を有する円弧状に形成されていることを特徴とする自動車用コンソールボックス。
【請求項４】
請求項１から請求項３までの何れか一項に記載の自動車用コンソールボックスであって、前記蓋が前記開口を閉じた状態では、前記ガイド体は前記案内面の端部に形成された端壁で支持され、これによって前記トレイの姿勢がほぼ水平姿勢とされることを特徴とする自動車用コンソールボックス。
【請求項５】
請求項１から請求項３までの何れか一項に記載の自動車用コンソールボックスであって、
前記ガイド体は、前記トレイの左右両側の側壁に備えられた凸部として構成され、
また、前記案内面は、前記収納空間を構成する左右両側の内壁に前記凸部に対応して備えられた段部に備えられていることを特徴とする自動車用コンソールボックス。
【請求項６】
請求項１から請求項５までの何れか一項に記載の自動車用コンソールボックスであって、
前記凸部は前記トレイに一体形成され、前記段部は前記内壁を構成する部材に形成されていることを特徴とする自動車用コンソールボックス。
【請求項７】
請求項５又は請求項６に記載の自動車用コンソールボックスであって、前記凸部は前記トレイの下部に備えられていることを特徴とする自動車用コンソールボックス。
【発明の詳細な説明】
【技術分野】
【０００１】
本発明は、自動車に用いられるコンソールボックスであって、内部にトレイを備える構成のものに関する。
【背景技術】
【０００２】
特許文献１は、この種のコンソールボックスにおいて、アンダートレイとは別にトレイを備え、このトレイとリッドを独立して開閉できるように構成し、上記トレイに第１収納部や第２収納部を形成した構成を開示する。
【特許文献１】特許第２６９９６１６号公報（第１図、第４カラム第１９行〜第２９行等、アンダートレイ４、トレイ１３、リッド２１）
【発明の開示】
【発明が解決しようとする課題】
【０００３】
しかし、上記特許文献１の構成は、トレイを有することで収納能力は向上するものの、リッドを開くだけでは足りず更にトレイを開かなければアンダートレイ上の小物類にアクセスできないために、小物類の出し入れの作業性という観点から改善の余地が残されていた。
【０００４】
本発明は以上の事情に鑑みてされたものであり、その目的は、トレイを備えて収納能力を向上させた自動車用コンソールボックスにおいて、ボックス本体側（下段側）の収納空間への小物の出し入れが容易な簡素な構成を提供することにある。
【課題を解決するための手段及び効果】
【０００５】
本発明の解決しようとする課題は以上の如くであり、次にこの課題を解決するための手段とその効果を説明する。
【０００６】
◆本発明の観点によれば、内部に収納空間を有するとともに開口を有するボックス本体と、回動することで前記開口を開閉可能な蓋と、前記収納空間の底部よりも上方に設置されるトレイと、を備える自動車用コンソールボックスであって、前記トレイが前記蓋の開閉と連動して、その姿勢をほぼ一定に保ったまま上下動する、自動車用コンソールボックスが提供される。
【０００７】
これにより、蓋を開くとトレイが姿勢をほぼ保って上昇する構成であるから、蓋開き時における開口の間口から収納空間底部側への小物類の出し入れを極めて容易にすることができる。
【０００８】
◆前記の自動車用コンソールボックスにおいては、以下のように構成することが好ましい。前記トレイは前記蓋に回動可能に連結される構成とし、また、このトレイにはガイド体を備える。このガイド体をスライド自在に載置させる案内面を前記ボックス本体側に備え、この案内面には、前記蓋を開き方向に回動したときに前記ガイド体をスライドさせつつ登らせる傾斜部が備えられる。開き状態の前記蓋に対して前記トレイを回動させることで前記ガイド体を前記案内面から離間させることができるように構成する。なお、「ボックス本体側に備え」とは、ボックス本体自体に案内面が備えられる場合も含む。
【０００９】
これにより、蓋を開くとガイド体が案内面の傾斜部を登ってトレイを上昇させるので、上記の出し入れ作業の容易化を簡単な構成で実現することができる。また、トレイの蓋に対する回動により前記開口をほぼ全域にわたって開放させることができるから、大きな小物類等も容易に収納空間の底部に出し入れすることができる。
【００１０】
◆前記の自動車用コンソールボックスにおいては、前記案内面の傾斜部は、前記蓋を開閉させるときに前記トレイの当該蓋への連結箇所が描く軌跡とほぼ同じ径を有する円弧状に形成されていることが好ましい。
【００１１】
これにより、蓋の開き動作に連動したトレイの上昇が円滑に行われ、また、開き動作の途中でもトレイの姿勢を一定に安定させることができる。
【００１２】
◆前記の自動車用コンソールボックスにおいては、前記蓋が前記開口を閉じた状態では、前記ガイド体は前記案内面の端部に形成された端壁で支持され、これによって前記トレイの姿勢がほぼ水平姿勢とされることが好ましい。
【００１３】
これにより、蓋を閉じたときにトレイが大きく傾いてトレイ上の小物類が落下するのを防止することができる。また、端壁でガイド体を支持する簡素な構成であるので、製造コストを低減できる。
【００１４】
◆前記の自動車用コンソールボックスにおいては、以下のように構成することが好ましい。前記ガイド体は、前記トレイの左右両側の側壁に備えられた凸部として構成される。また、前記案内面は、前記収納空間を構成する左右両側の内壁に前記凸部に対応して備えられた段部に備えられている。
【００１５】
これにより、凸部と段部とによる簡単な構成で、小物の出し入れを容易にすることができる。
【００１６】
◆前記の自動車用コンソールボックスにおいては、前記凸部は前記トレイに一体形成され、前記段部は前記内壁を構成する部材に形成されていることが好ましい。
【００１７】
これにより、凸部や段部を特別な部品として備える必要がなくなるので、部品点数を低減することができる。
【００１８】
◆前記の自動車用コンソールボックスにおいては、前記凸部は前記トレイの下部に備えられていることが好ましい。
【００１９】
これにより、前記段部を設けるために収納空間の左右の内壁を上方へ延出ないし突出させる量を少なくでき、あるいはゼロとできるので、開口の側部のスッキリした形状（外観）を実現でき、意匠性に優れる構成とすることができる。
【発明を実施するための最良の形態】
【００２０】
次に、発明の実施の形態を説明する。図１は本発明の一実施形態に係る自動車用コンソールボックスの全体的な構成を示す側面断面図、図２は図１のＡ−Ａ断面矢視図、図３は図１の状態からリッドを開いた状態を示す側面断面図である。
【００２１】
図１に側面断面図を示すコンソールボックス１は自動車のフロア中央部に配設されるものであって、ボックス本体２と、リッド（蓋）３と、内部トレイ（副トレイ、上段トレイ）４と、を主要な構成として備えている。
【００２２】
前記ボックス本体２の内部には、上方を開放させた中空状の収納箱５が固定されており、この収納箱５の内部に、小物類を収納できる収納空間６が構成されている。この収納箱５の上方開口（収納空間６の上方開放部）に位置を合わせるようにして、ボックス本体２の上面に開口７が形成される。この開口７は、前記ボックス本体２にヒンジ部８を介して取り付けられた前記リッド３によって開閉可能に構成されている。なお図示しないが、このヒンジ部８には、リッド３を開き動作させるための例えば捩りコイルバネ状の付勢バネが配置されている。
【００２３】
具体的には、前記リッド３の端部の下面にはアーム９が固定され、このアーム９の先端が、前記ボックス本体２の適宜位置に配置されたヒンジ軸１０まわりに回動自在に支持されている。更に、前記リッド３の下面であって前記ヒンジ軸１０の近傍の位置にはブラケット１１が固設される。このブラケット１１の先端には、前記内部トレイ４が支軸１２まわりに回動自在に設けられている。
【００２４】
内部トレイ４は合成樹脂製とされるとともに、その上面には浅底状のトレイ部１３が凹設されて、このトレイ部１３に小物類を収納できるようになっている。この内部トレイ４は、図１のようにリッド３を閉じた状態では、ほぼ全部を前記収納箱５の内部（収納空間６の内部）に位置させるとともに、収納箱５の底部（収納空間６の底部）よりも上方に位置している。また、前記支軸１２は、前記内部トレイ４のヒンジ軸１０に近い側の端部であって、上部側に配置されている。
【００２５】
図１、及び図１のＡ−Ａ断面矢視図としての図２に示すように、前記収納箱５の左右両側壁の内壁面には段部１４が棚状に形成され、この段部１４の上面には案内面１５が備えられている。一方、前記内部トレイ４の両側壁であって、自由端側（前記支軸１２から遠い側）の下部には、ガイド体としての凸部１６がそれぞれ設けられている。この凸部１６は直径数ミリメートル程度の丸棒のピン形状とされるとともに、内部トレイ４に凸状に一体形成されている。また、この凸部１６は前記段部１４上に載置されるとともに、前記案内面１５に沿ってスライド自在となるように構成されている。
【００２６】
図１に示すように、前記案内面１５は、内部トレイ４の支軸１２に近づくに従って上昇する円弧状の傾斜部１７を備えている。また、前記案内面１５は、その端部（前記支軸１２から遠い側の端部）に端壁１８を有しており、この端壁１８上に前記凸部１６を乗せることが可能に構成している。
【００２７】
以上の構成で、前記リッド３が開口７を閉じている状態が図１に示され、この状態では、前記凸部１６は前記案内面１５の端壁１８上に乗った状態で支持されており、これによって内部トレイ４の姿勢がほぼ水平姿勢に保持されている。
【００２８】
そして、この図１の状態からリッド３を前記付勢バネのバネ力をもって上方へ回動させると、内部トレイ４は、回動するリッド３のブラケット１１によって、支軸１２を介して引っ張られる。一方、内部トレイ４の前記凸部１６は、前記内部トレイ４が引っ張られることに伴って、前記段部１４の案内面１５の傾斜部１７上をスライドして登るので、内部トレイ４の凸部１６側も上昇する。従って、リッド３の開き回動過程において内部トレイ４を、その姿勢をほぼ一定に保ったまま円弧軌跡を描くように上昇させることができる。
【００２９】
こうしてリッド３を開いた図３の状態が実現され、この図３の状態では、内部トレイ４は図１の閉じ状態のときよりも若干上昇し、ほぼ全部が収納空間６から上方へ抜けた状態になる。また、前記ヒンジ軸１０の近傍ではあるが当該ヒンジ軸１０とは異なる位置に内部トレイ４の支軸１２が配置されているので、支軸１２の前記軌跡Ｐに沿った移動により、内部トレイ４は図１の閉じ状態のときよりもヒンジ軸１０側へ引っ張られて移動する。従って、収納空間６の底部（特に、奥側）への間口１９を介した小物類の出し入れを容易とすることができる。また、開き状態のリッド３に対し内部トレイ４を図３の鎖線の位置まで矢印の方向に回動させることもでき、これにより、間口がボックス本体２の開口７のほぼ全体に亘って形成されることとなる。よって、大き目の物を収納箱５に容易に出し入れでき、また、収納箱５の奥の方へ物を出し入れする際も収納箱５の内部を覗き込むことなしに行えるので、極めて便宜である。
【００３０】
また、前記案内面１５の傾斜部１７は、リッド３をヒンジ軸１０まわりに回動したときに前記支軸１２が描く軌跡Ｐとほぼ同じ径を有する円弧状に構成されている。従って、リッド３の開き動作に連動した内部トレイ４の上昇が円滑に行われ、また、開き動作の途中でも内部トレイ４の姿勢を一定に安定させることができる。
【００３１】
なお、リッド３を閉じるときは前記と逆に、凸部１６が傾斜部１７をスライドして下ることで、内部トレイ４はその姿勢をほぼ一定に保ったまま下降することになる。
【００３２】
以上に示すように、本実施形態のコンソールボックス１は、内部に収納空間６を有するとともに開口７を有するボックス本体２と、回動することで前記開口７を開閉可能なリッド３と、前記収納空間６の底部よりも上方に設置される内部トレイ４と、を備える。そして、図１及び図３で示すように、内部トレイ４は前記リッド３の開閉と連動して、その姿勢をほぼ一定に保ったまま上下動する。
【００３３】
従って、リッド３を開くと内部トレイ４が姿勢をほぼ保って上昇する構成を実現でき、リッド３の開き状態（図３）において、開口７の間口１９から収納空間６の底部側への小物類の出し入れを極めて容易にすることができる。
【００３４】
また、本実施形態では、前記内部トレイ４は、前記リッド３に対し回動可能に連結される構成とし、また、この内部トレイ４には凸部１６を備えている。更に、この凸部１６をスライド自在に載置させる案内面１５を前記ボックス本体２側の部材（本実施形態では、収納箱５）に備え、この案内面１５には、前記リッド３を開き方向に回動したときに前記凸部１６をスライドさせつつ登らせる傾斜部１７が備えられる。そして、開き状態のリッド３に対して内部トレイ４を図３の矢印に示すように回動させることで、凸部１６と案内面１５とを離間させることができるように構成している。
【００３５】
従って、リッド３を開くと凸部１６が案内面１５の傾斜部１７を登って内部トレイ４を上昇させるので、上記の出し入れ容易化のための簡素な構成を実現できる。また、内部トレイ４を開き状態のリッド３に対して回動させ、図３の鎖線の位置とすることで、前記開口７をほぼ全域にわたって開放させることができるから、大きな小物類も容易に収納空間６の底部へ出し入れすることができる。。
【００３６】
更に本実施形態では図３に示すように、案内面１５の傾斜部１７は、側面視において、リッド３を開閉させるときに内部トレイ４の当該リッド３への連結箇所（前記支軸１２）が描く軌跡Ｐとほぼ同じ径を有する円弧状に形成されている。
【００３７】
従って、リッド３の開き動作に連動した内部トレイ４の上昇（閉じ動作に連動した下降）が円滑に行われ、また、開き動作（閉じ動作）の途中においても内部トレイ４の姿勢を一定に安定させることができる。
【００３８】
また、本実施形態では図１に示すように、リッド３が開口７を閉じた状態では、前記凸部１６は前記案内面１５の端部に形成された端壁１８で支持され、これによって内部トレイ４の姿勢がほぼ水平姿勢とされている。
【００３９】
従って、リッド３を閉じたときに内部トレイ４が大きく傾いて内部トレイ４上の小物類が落下するのを防止できる。また、端壁１８で凸部１６を支持する簡素な構成であるので、製造コストを低減できる。
【００４０】
更に、本実施形態では、凸部１６が内部トレイ４の左右両側の側壁に備えられる一方、前記案内面１５は、前記凸部１６に対応するように前記収納空間６を構成する内壁（即ち、前記収納箱５の左右両側の内壁）に形成された段部１４に備えられている。
【００４１】
従って、凸部１６と段部１４による簡単な構成で、収納空間６の底部に対する小物の出し入れを容易にすることができる。
【００４２】
また、本実施形態では、凸部１６は内部トレイ４に一体形成され、段部１４は収納空間６の内壁を構成する部材（収納箱５）に一体的に形成されている。
【００４３】
従って、凸部１６や段部１４を特別な部品として備える構成に比較して、部品点数を低くでき、製造コストを低減できる。
【００４４】
また、本実施形態のコンソールボックス１では、前記凸部１６は内部トレイ４の下部に備えられている。
【００４５】
従って、前記段部１４を設けるために収納空間６の左右の内壁（収納箱５の左右の壁部）を上方へ延出ないし突出させる量を小さくでき、あるいはゼロとできるので、開口７部分のスッキリした形状を実現でき、意匠性に優れる。
【００４６】
以上に本発明の好適な実施形態を説明したが、上記の実施形態は例えば以下のように変更することができる。
【００４７】
○収納箱５はボックス本体２とは別体の部材に構成されているが、収納箱５をボックス本体２と一体に形成しても良い。
【００４８】
○上記の実施形態では凸部１６を内部トレイ４に一体形成する構成としたが、それに代えて、例えば金属製のピンを内部トレイ４に突設したり、あるいは小型ローラを軸支する構成に変更することができる。また、凸部１６の形状はピン形状に限られない。ただし、上記の実施形態のようにピン形状に一体形成することとすると、部品点数を低減できるとともに、単純な形状であるので一体形成も容易である利点がある。
【００４９】
○また、段部１４（案内面１５）は収納箱５の両側側壁の内壁面に一体形成する構成としたが、例えばボックス本体２に収納箱を一体形成する構成とした場合は、収納空間６を形成する当該ボックス本体２の内壁面に段部１４（案内面１５）を形成することができる。
【００５０】
○また、収納箱５の内壁面に別の部材を固定し、その部材に段部１４を形成しても良い。ただし、段部１４を一体形成すれば、部品点数や製造コストを低減できるので好ましい。
【００５１】
○内部トレイ４の自由端側の下部からアーム状の部材を下方へ突出させるように一体的に形成させ、そのアーム状の部材の下端に前記凸部１６を形成することもできる。この場合、前記段部１４の配設位置をより下方とすることができるから、段部１４を形成するために収納箱５の左右の壁部を上方へ延出ないし突出させる量を更に小さくすることができる。
【図面の簡単な説明】
【００５２】
【図１】本発明の一実施形態に係るコンソールボックスの全体的な構成を示す側面断面図。
【図２】図１のＡ−Ａ断面矢視図。
【図３】図１の状態からリッドを開いた状態を示す側面断面図。
【符号の説明】
【００５３】
１  自動車用コンソールボックス
２  ボックス本体
３  リッド（蓋）
４  内部トレイ（トレイ）
５  収納箱（ボックス本体側の部材）
７  開口
１０  ヒンジ軸
１２  支軸（内部トレイのリッドに対する連結箇所）
１４  段部
１５  案内面
１６  凸部
１７  傾斜部
１８  端壁
１９  間口
Ｐ  支軸の描く軌跡
【図１】
2006327515.tif 000003
【図２】
2006327515.tif 000004
【図３】
2006327515.tif 000005